(57)【要約】【解決手段】無線通信ネットワーク（１２０）は、規定フォーマットからなるデジタルラジオフレームに対応するパーティション内で、コールページングメッセージ（４１８）を送信し、無線通信装置（１３４）への着呼に応答する。ブロードキャストイベントの発生に応答して（４０４）、このネットワークは、反復ブロードキャストページングメッセージを送信する（４１４）。ブロードキャストページングメッセージは、デジタルラジオフレーム内で複数回送信される。別のシーケンス（５００）は、このネットワークにおけるＷＣＤオペレーションを説明する。スリープからのウェイクアップ（５０２）に応答して、ＷＣＤは、受信した信号品質を検知する（５０９）。ＷＣＤはまた、コールページングメッセージのスケジュールされたネットワーク送信と、コールページングメッセージの各スケジュールされた送信のために複数回生じる反復ネットワーク送信されたブロードキャストページングメッセージのインスタンスの数とを受信する（５１０）。この数は、信号品質に反比例して変化する。【選択図】      図５
2007518371.tif 000002
【特許請求の範囲】
【請求項１】
無線通信装置を動作させるための方法であって、
省電力スリープ状態からのウェイクアップに応答して、前記無線通信装置が受信する１つ以上の規定信号の信号品質を検知することと、（１）コールページングメッセージのスケジュールされたネットワーク送信と、（２）前記コールページングメッセージのそれぞれスケジュールされた送信に対し複数回生じる、第一の数の反復ネットワーク送信ブロードキャストページングメッセージの少なくとも１つのインスタンスであって、前記第一の数は、前記検知された信号品質に反比例して変化するインスタンスとを含む信号を受信することとを含むオペレーションを実行するオペレーションを含み、
コールページングメッセージコンテンツは、前記ネットワークが前記装置に対する着呼を受信したかどうかを示し、ブロードキャストページングメッセージコンテンツは、前記ネットワークがオンデマンドブロードキャストコンテンツの利用可能性を発表したかどうかを示す、無線通信装置を動作させるための方法。
【請求項２】
前記オペレーションは、スリープ状態に再び入る前に、前記コールページングメッセージと、第二の数の前記ブロードキャストページングメッセージの少なくとも１つのインスタンスとの受信合計時間を最小にするために、次のウェイクアップ時間を演算することと、前記演算された次のウェイクアップ時間に、前記無線通信装置をウェイクアップさせるように設定することとをさらに含む、請求項１に記載の方法。
【請求項３】
前記オペレーションは、次のコールページングメッセージのネットワーク送信の時間、および前記反複ブロードキャストページングメッセージのネットワーク送信のスケジュールを含む情報を、前記無線装置が取得することをさらに含み、
前記演算オペレーションの実行が、前記取得した情報を含むデータを利用する、請求項２に記載の方法。
【請求項４】
前記次のウェイクアップ時間を演算するオペレーションは、前記合計時間を最小にするために、前記コールページングメッセージおよび前記ブロードキャストページングメッセージを受信する順番を計画することを含む、請求項２に記載の方法。
【請求項５】
前記次のウェイクアップ時間を演算するオペレーションは、前記第二の数が１より大きい場合に、前記次のコールページングメッセージの前に、少なくとも１つのブロードキャストページングメッセージを受信するために前記次のウェイクアップ時間を計画することを含む、請求項２に記載の方法。
【請求項６】
前記次のウェイクアップ時間を演算するオペレーションは、前記無線通信装置によって受信された１つ以上の規定信号の信号品質を再検知することをさらに含み、
前記第二の数が、前記再検知された信号品質に反比例して変化する、請求項２に記載の方法。
【請求項７】
前記第二の数は、前記検知された信号品質に反比例して変化する、請求項２に記載の方法。
【請求項８】
前記オペレーションは、
次のウェイクアップに関する前記第一の数を計画することと、
前記次のウェイクアップに応答する前記無線通信装置による使用および今後の検索のための前記第一の数からなる機械可読表示を格納することと
をさらに含む、請求項１に記載の方法。
【請求項９】
前記信号を受信するオペレーションは、
所定の基準によって前記信号品質を評価することと、
前記評価の結果に従って前記第一の数を設定することと
を含む、請求項１に記載の方法。
【請求項１０】
前記オペレーションは、
前記コールページングメッセージと、前記第一の数のブロードキャストページングメッセージのインスタンスとを受信した直後に、前記無線通信装置が実質的にスリープ状態に再び入ることをさらに含む、請求項１に記載の方法。
【請求項１１】
無線通信装置の操作方法であって、
省電力スリープ状態からのウェイクアップに応答して、ネットワーク送信されたコールページングメッセージを受信することと、前記コールページングメッセージのそれぞれのインスタンスに対し複数回生じる、反復ネットワーク送信ブロードキャストページングメッセージの少なくとも１つのインスタンスを受信することとを含むオペレーションを実行するオペレーションと、
前記スリープ状態に再び入る前に、前記コールページングメッセージと、前記ブロードキャストページングメッセージの少なくとも１つのインスタンスとを受信する合計時間を最小にするように、次のウェイクアップ時間を設定するオペレーションと
を含む無線通信装置の操作方法。
【請求項１２】
無線通信装置の操作方法であって、
省電力スリープ状態からのウェイクアップに応答して、ネットワーク送信されたコールページングメッセージと、前記コールページングメッセージのそれぞれのインスタンスに対し複数回生じる、反復ネットワーク送信ブロードキャストページングメッセージの１つのインスタンスとを受信することと、前記無線通信装置が受信した１つ以上の規定信号の信号数値指標を評価することと、前記信号数値指標評価の結果によって要求される数のブロードキャストページングメッセージの追加インスタンスを受信することとを含むオペレーションを実行するオペレーションを含む、無線通信装置の操作方法。
【請求項１３】
無線通信装置を管理するオペレーションを実行するために、デジタルデータプロセッサにより実行可能な機械可読命令のプログラムを具現化する、少なくとも１つの信号搬送媒体であって、前記オペレーションは、
省電力スリープ状態からのウェイクアップに応答して、前記無線通信装置が受信する１つ以上の規定信号の信号品質を検知することと、（１）コールページングメッセージのスケジュールされたネットワーク送信と、（２）前記コールページングメッセージのそれぞれスケジュールされた送信に対し複数回生じる、第一の数の反複ネットワーク送信ブロードキャストページングメッセージのうちの少なくとも１つのインスタンスであって、前記第一の数は、前記検知された信号品質に反比例して変化するインスタンスとを含む信号を受信することとを含むオペレーションを実行することを含み、
コールページングメッセージコンテンツは、前記ネットワークが前記装置に対する着呼を受信したかどうかを示し、ブロードキャストページングメッセージコンテンツは、前記ネットワークがオンデマンドブロードキャストコンテンツの利用可能性を発表したかどうかを示す、媒体。
【請求項１４】
前記オペレーションは、
前記スリープ状態に再び入る前に、前記コールページングメッセージと、第二の数の前記ブロードキャストページングメッセージのうちの少なくとも１つのインスタンスとを受信する合計時間を最小にするために、次のウェイクアップ時間を演算することと、前記演算された前記次のウェイクアップ時間に前記無線装置をウェイクアップさせるように設定することとをさらに含む、請求項１３に記載の媒体。
【請求項１５】
前記オペレーションは、前記次のコールページングメッセージのネットワーク送信の時間、および前記反複ブロードキャストページングメッセージのネットワーク送信のスケジュールを含む情報を、前記無線装置が取得することをさらに含み、
前記演算オペレーションの実行は、前記取得した情報を含むデータを利用する請求項１４に記載の媒体。
【請求項１６】
前記次のウェイクアップ時間を演算するオペレーションは、
前記合計時間を最小にするために、前記コールページングメッセージと、前記ブロードキャストページングメッセージとを受信する順番を計画することを含む、
請求項１４に記載の媒体。
【請求項１７】
前記次のウェイクアップ時間を演算するオペレーションは、
前記第二の数が１より大きい場合に、前記次のコールページングメッセージの前に、少なくとも１つのブロードキャストページングメッセージを受信するために次のウェイクアップ時間を計画することを含む、
請求項１４に記載の媒体。
【請求項１８】
前記次のウェイクアップ時間を演算するオペレーションは、
前記無線通信装置によって受信された1つ以上の規定信号の信号品質を再検知することをさらに含み、
前記第二の数が、前記再検知された信号品質に反比例して変化する、
請求項１４に記載の媒体。
【請求項１９】
前記第二の数が、前記検知された信号品質に反比例して変化する、
請求項１４に記載の媒体。
【請求項２０】
前記オペレーションは、
次のウェイクアップに関する第一の数を計画することと、前記次のウェイクアップに応答する前記無線通信装置による使用および今後の検索のための前記第一の数からなる機械可読表示を格納することとをさらに含む、
請求項１３に記載の媒体。
【請求項２１】
前記信号を受信するオペレーションは、
所定の基準によって前記信号品質を評価することと、
前記評価の結果に従って前記第一の数を設定することと
を含む、請求項１３に記載の媒体。
【請求項２２】
前記オペレーションは、
前記コールページングメッセージと、前記第一の数のブロードキャストページングメッセージのインスタンスとを受信した直後に、前記無線通信装置が実質的にスリープ状態に再び入ることをさらに含む、請求項１３に記載の媒体。
【請求項２３】
無線通信装置を管理するためのオペレーションを実行するために、デジタルデータプロセッサにより実行可能な機械可読命令のプログラムを具現化する、少なくとも１つの信号搬送媒体であって、前記オペレーションは、
省電力スリープ状態からのウェイクアップに応答して、ネットワーク送信されたコールページングメッセージを受信することと、前記コールページングメッセージのそれぞれのインスタンスに対し複数回生じる、反復ネットワーク送信ブロードキャストページングメッセージの少なくとも１つのインスタンスを受信することとを含むオペレーションを実行することと、
前記スリープ状態に再び入る前に、前記コールページングメッセージと、前記ブロードキャストページングメッセージの少なくとも１つのインスタンスとを受信する合計時間を最小にするように、次のウェイクアップ時間を設定することと
を含む、媒体。
【請求項２４】
無線通信装置を管理するためのオペレーションを実行するために、デジタルデータプロセッサにより実行可能な機械可読命令のプログラムを具現化する、少なくとも１つの信号搬送媒体であって、前記オペレーションは、
省電力スリープ状態からのウェイクアップに応答して、ネットワーク送信されたコールページングメッセージと、前記コールページングメッセージのそれぞれのインスタンスに対し複数回生じる、反復ネットワーク送信ブロードキャストページングメッセージの１つのインスタンスとを受信することと、前記無線通信装置が受信した１つ以上の規定信号の信号数値指標を評価することと、前記信号数値指標評価の結果によって要求される数の前記ブロードキャストページングメッセージの追加インスタンスを受信することと
を含むオペレーションを実行することを含む、媒体。
【請求項２５】
無線通信装置を管理するオペレーションを実行するように構成された複数の相互接続された導電性素子を含む回路であって、前記オペレーションは、
省電力スリープ状態からのウェイクアップに応答して、前記無線通信装置が受信する１つ以上の規定信号の信号品質を検知することと、（１）コールページングメッセージのスケジュールされたネットワーク送信と、（２）前記コールページングメッセージのそれぞれスケジュールされた送信に対し複数回生じる、第一の数の反複ネットワーク送信ブロードキャストページングメッセージのうちの少なくとも１つのインスタンスであって、前記第一の数は、前記検知された信号品質に反比例して変化するインスタンスとを含む信号を受信することとを含むオペレーションを実行することを含み、
コールページングメッセージコンテンツは、前記ネットワークが前記装置に対する着呼を受信したかどうかを示し、前記ブロードキャストページングメッセージコンテンツは、前記ネットワークがオンデマンドブロードキャストコンテンツの利用可能性を発表したかどうかを示す、回路。
【請求項２６】
前記オペレーションは、
前記スリープ状態に再び入る前に、前記コールページングメッセージと、第二の数の前記ブロードキャストページングメッセージのうちの少なくとも１つのインスタンスとを受信する合計時間を最小にするために、次のウェイクアップ時間を演算することと、前記演算された前記次のウェイクアップ時間に前記無線装置をウェイクアップさせるように設定することとをさらに含む、請求項２５に記載の回路。
【請求項２７】
前記オペレーションは、前記次のコールページングメッセージのネットワーク送信の時間、および前記反複ブロードキャストページングメッセージのネットワーク送信のスケジュールを含む情報を、前記無線装置が取得することをさらに含み、
前記演算オペレーションの実行は、前記取得した情報を含むデータを利用する、請求項２６に記載の回路。
【請求項２８】
前記次のウェイクアップ時間を演算するオペレーションは、
前記合計時間を最小にするために、前記コールページングメッセージと、前記ブロードキャストページングメッセージとを受信する順番を計画することを含む、請求項２６に記載の回路。
【請求項２９】
前記次のウェイクアップ時間を演算するオペレーションは、
前記第二の数が１より大きい場合に、前記次のコールページングメッセージの前に、少なくとも１つのブロードキャストページングメッセージを受信するために次のウェイクアップ時間を計画することを含む、請求項２６に記載の回路。
【請求項３０】
前記次のウェイクアップ時間を演算するオペレーションは、
前記無線通信装置によって受信された１つ以上の規定信号の信号品質を再検知することをさらに含み、
前記第二の数が、前記再検知された信号品質に反比例して変化する、請求項２６に記載の回路。
【請求項３１】
前記第二の数が、前記検知された信号品質に反比例して変化する、請求項２６に記載の回路。
【請求項３２】
前記オペレーションは、
次のウェイクアップに関する第一の数を計画することと、前記次のウェイクアップに応答する前記無線通信装置による使用および今後の検索ための前記第一の数からなる機械可読表示を格納することと
をさらに含む、請求項２５に記載の回路。
【請求項３３】
前記信号を受信するオペレーションは、
所定の基準によって前記信号品質を評価することと、
前記評価の結果に従って前記第一の数を設定することと
を含む、請求項２５に記載の回路。
【請求項３４】
前記オペレーションは、
前記コールページングメッセージと、前記第一の数のブロードキャストページングメッセージのインスタンスと受信した直後に、前記無線通信装置が実質的にスリープ状態に再び入ることをさらに含む、請求項２５に記載の回路。
【請求項３５】
無線通信装置を管理するためのオペレーションを実行するように構成された複数の相互接続された導電性素子を含む回路であって、前記オペレーションは、
省電力スリープ状態からのウェイクアップに応答して、ネットワーク送信されたコールページングメッセージを受信することと、前記コールページングメッセージのそれぞれのインスタンスに対し複数回生じる、反復ネットワーク送信ブロードキャストページングメッセージの少なくとも１つのインスタンスを受信することとを含むオペレーションを実行することと、
前記スリープ状態に再び入る前に、前記コールページングメッセージと、前記ブロードキャストページングメッセージの少なくとも１つのインスタンスとを受信する合計時間を最小にするように、次のウェイクアップ時間を設定することと
を含む前記回路。
【請求項３６】
無線通信装置を管理するためのオペレーションを実行するよう構成された複数の相互接続された導電性素子を含む回路であって、前記オペレーションは、
省電力スリープ状態からのウェイクアップに応答して、
ネットワーク送信されたコールページングメッセージと、前記コールページングメッセージのそれぞれのインスタンスに対し複数回生じる、反復ネットワーク送信ブロードキャストページングメッセージの１つのインスタンスとを受信することと、前記無線通信装置が受信した１つ以上の規定信号の信号数値指標を評価することと、前記信号数値指標評価の結果によって要求される数のブロードキャストページングメッセージの追加インスタンスを受信することと、を含むオペレーションを実行することを含む回路。
【請求項３７】
無線通信装置であって、
トランシーバと、
スピーカと、
マイクロフォンと、
ユーザインタフェースと、
前記トランシーバ、スピーカ、マイクロフォン、およびユーザインタフェースと結合され、省電力スリープ状態からのウェイクアップに応答して、前記無線通信装置が受信する１つ以上の規定信号の信号品質を検知することと、（１）コールページングメッセージのスケジュールされたネットワーク送信と、（２）前記コールページングメッセージのそれぞれスケジュールされた送信に対し複数回生じる、第一の数の反複ネットワーク送信ブロードキャストページングメッセージのうちの少なくとも１つのインスタンスであって、前記第一の数は、前記検知された信号品質に反比例して変化するインスタンスとを含む信号を受信することとを含むオペレーションであって、
コールページングメッセージコンテンツは、前記ネットワークが前記装置に対する着呼を受信したかどうかを示し、前記ブロードキャストページングメッセージコンテンツは、前記ネットワークがオンデマンドブロードキャストコンテンツの利用可能性を発表したかどうかを示す、前記オペレーションを実行することを含むオペレーションを実行するようプログラムされたマネージャと
を備える無線通信装置。
【請求項３８】
無線通信装置であって、
トランシーバと、
スピーカと、
マイクロフォンと、
ユーザインタフェースと、
前記トランシーバ、スピーカ、マイクロフォン、およびユーザインタフェースと結合され、省電力スリープ状態からのウェイクアップに応答して、ネットワーク送信されたコールページングメッセージを受信することと、前記コールページングメッセージのそれぞれのインスタンスに対し複数回生じる、反復ネットワーク送信ブロードキャストページングメッセージの少なくとも１つのインスタンスを受信することと、
前記スリープ状態に再び入る前に、前記コールページングメッセージと、前記ブロードキャストページングメッセージの少なくとも１つのインスタンスとを受信する合計時間を最小にするように、次のウェイクアップ時間を設定することとを含むオペレーションを実行するようプログラムされたマネージャと
を備える無線通信装置。
【請求項３９】
無線通信装置であって、
トランシーバと、
スピーカと、
マイクロフォンと、
ユーザインタフェースと、
前記トランシーバ、スピーカ、マイクロフォン、およびユーザインタフェースと結合され、省電力スリープ状態からのウェイクアップに応答して、
ネットワーク送信されたコールページングメッセージと、前記コールページングメッセージのそれぞれのインスタンスに対し複数回生じる、反復ネットワーク送信ブロードキャストページングメッセージの１つのインスタンスとを受信することと、前記無線通信装置が受信した１つ以上の規定信号の信号数値指標を評価することと、前記信号数値指標評価の結果によって要求される数のブロードキャストページングメッセージの追加インスタンスを受信することと、を含むオペレーションを実行することとを含むオペレーションを実行するようプログラムされた、マネージャと
を備える無線通信装置。
【請求項４０】
無線通信装置であって、
トランシーバ交信手段と、
電気信号から可聴信号を生成するためのスピーカ手段と、
可聴信号から電気信号を生成するためのマイクロフォン手段と、
オペレーターと情報を交換するためのユーザインタフェース手段と、
省電力スリープ状態からのウェイクアップに応答して、
前記無線通信装置が受信する１つ以上の規定信号の信号品質を検知することと、（１）コールページングメッセージのスケジュールされたネットワーク送信と、（２）前記コールページングメッセージのそれぞれスケジュールされた送信に対し複数回生じる、第一の数の反複ネットワーク送信ブロードキャストページングメッセージの少なくとも１つのインスタンスであって、前記第一の数は、前記検知された信号品質に反比例して変化するインスタンスとを含む信号を受信することとを含むオペレーションであって、
コールページングメッセージコンテンツは、前記ネットワークが前記装置に対する着呼を受信したかどうかを示し、ブロードキャストページングメッセージコンテンツは、前記ネットワークがオンデマンドブロードキャストコンテンツの利用可能性を発表したかどうかを示す、前記オペレーションを実行することを含むオペレーションを実行するためのマネージャ手段と
を備える無線通信装置。
【請求項４１】
無線通信装置であって、
トランシーバ交信手段と、
電気信号から可聴信号を生成するためのスピーカ手段と、
可聴信号から電気信号を生成するためのマイクロフォン手段と、
オペレーターと情報を交換するためのユーザインタフェース手段と、
省電力スリープ状態からのウェイクアップに応答して、
ネットワーク送信されたコールページングメッセージを受信することと、前記コールページングメッセージのそれぞれのインスタンスに対し複数回生じる、反復ネットワーク送信ブロードキャストページングメッセージの少なくとも１つのインスタンスを受信することと、
前記スリープ状態に再び入る前に、前記コールページングメッセージと、前記ブロードキャストページングメッセージの少なくとも１つのインスタンスとを受信する合計時間を最小にするように、次のウェイクアップ時間を設定することと、を含むオペレーションを実行することを含むオペレーションを実行するためのマネージャ手段と
を備える無線通信装置。
【請求項４２】
無線通信装置であって、
トランシーバ交信手段と、
電気信号から可聴信号を生成するためのスピーカ手段と、
可聴信号から電気信号を生成するためのマイクロフォン手段と、
オペレーターと情報を交換するためのユーザインタフェース手段と、
省電力スリープ状態からのウェイクアップに応答して、ネットワーク送信されたコールページングメッセージと、前記コールページングメッセージのそれぞれのインスタンスに対し複数回生じる、反復ネットワーク送信ブロードキャストページングメッセージの１つのインスタンスとを受信することと、前記無線通信装置が受信した１つ以上の規定信号の信号数値指標を評価することと、前記信号数値指標評価の結果によって要求される数のブロードキャストページングメッセージの追加インスタンスを受信することと、を含むオペレーションを実行するためのマネージャ手段と
を備える無線通信装置。
【請求項４３】
無線通信ネットワークの無線通信装置にページングメッセージを通信するための方法であって、前記ネットワークは、規定フォーマットのデジタルラジオフレームの対応するパーティション内でコールページングメッセージを送信することによって、無線通信装置になされたそれぞれの着呼に応答し、前記方法は、
指定のブロードキャストイベントのそれぞれの発生に応答して、前記ネットワークからのブロードキャストコンテンツの利用可能性を発表する反復ブロードキャストページングメッセージを送信するオペレーションであって、前記ブロードキャストページングメッセージは、各デジタルラジオフレーム内で複数回送信されるオペレーションを含む方法。
【請求項４４】
前記送信オペレーションは、１つ以上のブロードキャストプログラムの第一のセットに関連する第一のブロードキャストイベントのそれぞれの発生に応答して、前記第一のセットのブロードキャストプログラムに関連するブロードキャストコンテンツの利用可能性を発表する第一の反復ブロードキャストページングメッセージを送信することであって、前記ブロードキャストページングメッセージは、各デジタルラジオフレーム内で複数回送信されることを含み、
前記オペレーションは、１つ以上のブロードキャストプログラムの第二セットに関連する第二のブロードキャストイベントのそれぞれの発生に応答して、前記第二のセットのブロードキャストプログラムに関連するブロードキャストコンテンツの利用可能性を発表する第二の反復ブロードキャストページングメッセージを送信することであって、前記ブロードキャストページングメッセージは、各デジタルラジオフレーム内で複数回送信されることをさらに含む、請求項４３に記載の方法。
【請求項４５】
前記ブロードキャストページングメッセージは、前記ネットワークからブロードキャストコンテンツが利用可能であるかどうかを示すバイナリ信号を含む、請求項４３に記載の方法。
【請求項４６】
ブロードキャストイベントの一つの種類は、無線通信装置に１つ以上の特定ブロードキャストプログラムを通知するネットワーク指定された命令を基地局が受信することを含む、請求項４３に記載の方法。
【請求項４７】
ブロードキャストイベントの一つの種類は、前記ネットワークに問い合わせることにより、１つ以上の未発表のブロードキャストプログラムが前記ネットワークから利用可能であることを基地局が知ることを含む、請求項４３に記載の方法。
【請求項４８】
ブロードキャストイベントの一つの種類は、前記ネットワークに問い合わせることにより、前記ネットワークが、再発表のために、１つ以上の既発表のブロードキャストプログラムを指定したことを基地局が知ることを含む、請求項４３に記載の方法。
【請求項４９】
無線通信ネットワークの無線通信装置にページングメッセージを通信するオペレーションを実行するために、デジタルデータプロセッサにより実行可能な機械可読命令のプログラムを具現化する、少なくとも１つの信号搬送媒体メディアであって、前記ネットワークは、規定フォーマットのデジタルラジオフレームの対応するパーティション内でコールページングメッセージを送信することにより、無線通信装置になされたそれぞれの着呼に応答し、
ブロードキャストイベントの各発生に応答して、前記ネットワークから、ブロードキャストコンテンツの利用可能性を発表する、反復ブロードキャストページングメッセージを送信することであって、前記ブロードキャストページングメッセージは、それぞれのデジタルラジオフレーム内で複数回送信されるオペレーションを含む方法。
【請求項５０】
無線通信ネットワークの無線通信装置にページングメッセージを通信するオペレーションを実行するよう構成された複数の相互接続された導電性素子を含む回路であって、前記ネットワークは、規定フォーマットのデジタルラジオフレームの対応するパーティション内でコールページングメッセージを送信することによって無線通信装置になされたそれぞれの着呼に応答し、前記方法は、
ブロードキャストイベントの各発生に応答して、前記ネットワークから、ブロードキャストコンテンツの利用可能性を発表する反復ブロードキャストページングメッセージを送信することであって、前記ブロードキャストページングメッセージは、各デジタルラジオフレーム内で複数回送信されるオペレーションを含む方法。
【請求項５１】
規定フォーマットのデジタルラジオフレームの対応するパーティション内でコールページングメッセージを送信することによって無線通信装置になされたそれぞれの着呼に応答する無線通信ネットワークで使用される基地局装置であって、
１つ以上のアンテナと、
トランシーバと、
ブロードキャストイベントの各発生に応答して、前記ネットワークから、ブロードキャストコンテンツの利用可能性を発表する反復ブロードキャストページングメッセージを送信することであって、前記ブロードキャストページングメッセージは、各デジタルラジオフレーム内で複数回送信されることを含むオペレーションを実行することによって、ページングメッセージを無線通信装置に通信するようプログラムされたデジタルデータプロセッサと
を備える基地局装置。
【請求項５２】
規定フォーマットのデジタルラジオフレームの対応するパーティション内でコールページングメッセージを送信することによって、無線通信装置になされたそれぞれの着呼に応答する無線通信ネットワークで使用される基地局装置であって、
導電性媒体と空気媒体との間で信号を中継するためのアンテナ手段と、
トランシーバ交信手段と、
ブロードキャストイベントの各発生に応答して、前記ネットワークから、ブロードキャストコンテンツの利用可能性を発表する反復ブロードキャストページングメッセージを送信することであって、前記ブロードキャストページングメッセージは、各デジタルラジオフレーム内で複数回送信されることを含むオペレーションを実行することによって、ページングメッセージを無線通信装置に通信するためのデジタルデータプロセッサ手段と
を備える基地局装置。
【請求項５３】
規定フォーマットのデジタルラジオフレームの対応するパーティション内でコールページングメッセージを送信することによって、無線通信装置になされたそれぞれの着呼に応答する無線通信ネットワークであって、
複数の基地局と、
複数の基地局が共有する無線通信ネットワーク機器とを備え、
前記基地局とネットワーク機器とのうちの少なくとも１つが、ブロードキャストイベントの各発生に応答して、前記ネットワークから、ブロードキャストコンテンツの利用可能性を発表する反復ブロードキャストページングメッセージを送信することであって、前記ブロードキャストページングメッセージは、各デジタルラジオフレーム内で複数回送信されることを含むオペレーションを実行することによって、無線通信装置にページングメッセージを通信するようにプログラムされた無線通信ネットワーク。
【発明の詳細な説明】
【技術分野】
【０００１】
本発明は、一般に、無線通信ネットワーク、当該ネットワークに参加する無線通信装置、および、上記装置のオペレーションに関する。より具体的には、本発明は、基地局がコール／ブロードキャストページングメッセージ（Ｃａｌｌ／Ｂｒｏａｄｃａｓｔ  Ｐａｇｉｎｇ  Ｍｅｓｓａｇｅ）を無線通信装置に送信するための新技術、ひいては当該装置がコール／ブロードキャストページングメッセージを受信するためのより効率的な技術に関する。
【背景技術】
【０００２】
携帯電話の設計者は多種多様な工業技術的課題に面している。最も複雑な問題の１つは、電話機のトランシーバ、スピーカ、マイクロフォン、ディスプレイおよび他のエレクトロニクスを動作させるためにバッテリの使用が必要である事である。バッテリは、完全に消耗されるまでの限られた量の電力しか提供できず、またその時点で電話も作動を停止する。もちろん、殆どの携帯電話バッテリは充電可能であるが、これには電源への接続が必要となる。
【０００３】
この脆弱性に留意し、携帯電話の設計者はさまざまな省電力状態を取り入れた製品を設計してきた。発呼（Ｏｕｔｇｏｉｎｇ  Ｃａｌｌ）または着呼（Ｉｎｃｏｍｉｎｇ  Ｃａｌｌ）がない場合、またはデータコールでの長時間における不活動の間、携帯電話は通常、「アイドル」状態にある。時折、電話機種によっては、電話機が、選択的に、そのトランシーバ、中央プロセッサ、および特定のその他のハードウェアなどの回路の機能をディセーブルする「スリープ」状態に入る。この時、電話機は電流を殆ど消耗しない。主として電話機に着呼を知らせる基地局からのコールページングメッセージ（あれば）を受信するために、またさらに近隣の基地局のパイロット信号を探すなどの別の理由などのために、ネットワークによってプリセットされた定期的間隔で、電話機は短時間ウェイクアップする。携帯電話が一定の期間、どの基地局とも交信を達成できなかった場合、電話機は「ディープスリープ」状態に入り、その間電話機は非常に頻度の低い間隔でのみサービスを探し、その間電力がより大きく低減される。
【０００４】
上記のオペレーション状態はバッテリ電力の節約を著しく助長するものである。また、ある面において、この技術の状態は完全に満足のいくものである。それでもなお、クアルコム社（「ＱＵＡＬＣＯＭＭ」）の技術者たちは、携帯電話の消費電力を低減する新しい方法の探求を継続してやまない。ＱＵＡＬＣＯＭＭの技術者たちはまた、携帯電話の消費電力を低減するためのこれまでの成果を犠牲にすることなく、新しい携帯電話機能の組み込みに取り組んでいる。これに関し、ありうる焦点の一分野は、将来的な携帯電話へのブロードキャストコンテンツのネットワーク配信である。この業界に精通する者は、携帯電話への実際のブロードキャストプログラム配信には、携帯電話使用者に、ブロードキャストプログラムが利用可能になったことを知らせるブロードキャストページングメッセージが先にあることを期待している。
【０００５】
それに応じて、この追加ページングメッセージを受信するために、休止中の携帯電話は、既存のウェイクアップシーケンスの延長、より深刻な場合には、追加のウェイクアップシーケンスを取り入る必要がある。どちらの場合でも、追加されるブロードキャストページングメッセージの受信のために、携帯電話はさらに電力を消費しなければならない。上記に説明したとおり、技術者たちは通常、携帯電話の電力消費を最小化することに努めている。それゆえ、既存のコールページングメッセージに加えて、ブロードキャストページングメッセージを付加的に受信する携帯電話の将来的必要性によって、ある問題が提示される。
【発明の開示】
【０００６】
無線通信ネットワークは、規定フォーマットのデジタルラジオフレームの対応するパーティション内でコールページングメッセージを送信することによって、無線通信装置になされたそれぞれの着呼に応答する。ネットワークは、ブロードキャストイベントの各発生に反応して、ネットワークからのブロードキャストコンテンツの利用可能性を発表する反復ブロードキャストページングメッセージを送信する。ブロードキャストページングメッセージは、各デジタルラジオフレーム内で複数回送信される。
【０００７】
もう１つのシーケンスは、このネットワークにおけるＷＣＤオペレーションを記述する。ＷＣＤは、スリープからウェイクアップにすぐに反応して、受信した信号品質を検知する。ＷＣＤはまた、コールページングメッセージのスケジュールされたネットワーク送信と、コールページングメッセージのスケジュールされた各送信に対して複数回発生する反復ネットワーク送信ブロードキャストページングメッセージ（Ｒｅｐｅａｔｉｎｇ  Ｎｅｔｗｏｒｋ  Ｔｒａｎｓｍｉｔｔｅｄ  Ｂｒｏａｄｃａｓｔ−ｐａｇｉｎｇ  Ｍｅｓｓａｇｅ）の多数のインスタンス（少なくとも１つ）を受信する。この回数は、検知された信号品質に反比例して変化する。
【発明を実施するための最良の形態】
【０００８】
付随する図面に関する下記の詳細な説明を考慮すれば、当技術分野に精通する者には、本発明の性質、目的、および有利性がさらに明白になるであろう。
【０００９】
（ハードウェア構成部品および相互接続）  
（序文）  
本開示は、他の構成部品間のなかでも、種々の基地局およびＷＣＤを用いた無線通信ネットワークを活用するものである。基地局は、着信音声／データコールを知らせるコールページングメッセージをＷＣＤに送信する。基地局はまた、ＷＣＤがダウンロードできるブロードキャストプログラム、例えば、オンデマンドブロードキャストコンテンツが利用可能であることをＷＣＤに知らせるブロードキャストページングメッセージを送信する。基地局は、ＷＣＤが電力効率良く受信できるような方法（後述する）で、前記コール／ブロードキャストページングメッセージを送信する。関連して、ＷＣＤは最小の電力を消費しながらコール／ブロードキャストページングメッセージを受信するために、これらの機能を活用するようにプログラムされている。
【００１０】
下記に記載されるものは、さまざまな構成部品と同様に、システムの設計及びオペレーションの全体に関して与えられた詳細である。
【００１１】
（無線通信ネットワーク）
図１Ａは、典型的な無線通信ネットワーク１２０の極めて簡略化したモデルを示す。一実施例において、ネットワーク１２０は、テレコミュニケーション・インダストリー・アソシエーション（ＴＩＡ−Ｔｅｌｅｃｏｍｍｕｎｉｃａｔｉｏｎｓ  Ｉｎｄｕｓｔｒｙ  Ａｓｓｏｃｉａｔｉｏｎ）ＩＳ−９５タイプネットワークとして実施できる。このタイプのネットワークは、例えば、ＷＣＤが音声コールの受信や発信を行う際には勿論、電子メールの送信／受信、インターネットサーフィン、およびその他のデジタルデータの交換にも有効である。
【００１２】
この特定の実例において、ネットワーク１２０は、ＣＤＭＡ準拠無線電話機を構成するさまざまなＷＣＤ１３４を含む。ＷＣＤはまた、携帯局、アクセス端末、加入者局、ユーザー機器（ＵＥ）または他の名称で称されることもある。ＷＣＤ１１４は、ＷＣＤ１３４と音声および／またはパケットデータコンテンツを交換するさまざまな基地局１３０によってサービスされる。
【００１３】
電話呼出および他の音声通信は、ラジオ周波数（ＲＦ）電磁信号チャネルを介して、ＷＣＤ１３４と基地局１３０との間でデータが交換されることによって行われる。基地局はまた、ＷＣＤ１３４と、コールページングメッセージ、生起メッセージ、登録メッセージ、パイロット信号レポート、および他のデジタルデータなどの異なるタイプの情報を交換することもある。さらに、デジタルコンテンツは、インターネット１２１またはもう１つのパケットデータネットワークに中継するためにインターネットプロトコル（ＩＰ）パケットデータをＷＣＤ１３４と基地局１３０の間で交換することによって行われる。パケットデータアプリケーションは、ＷＣＤ１３４上で直接起動でき、またＷＣＤ１３４を無線モデムとして使う別のコンピュータ装置上でも起動できる。
【００１４】
基地局１３０の一部または全部は、今日商業用に利用されている通常の基地局に使用されるハードウェアなどを用いて実施できる。各基地局１３０は、基地局１３０とさまざまなネットワーク設備１２４（後述する）との間で双方向に情報を流す基地局コントローラ（ＢＳＣ）１２６に結合される。ＢＳＣ１２６は、基地局間でＷＣＤ１３４のハンドオフの調整を含めた、携帯通信がなされることを可能にするさまざまな機能を実行する。ＢＳＣはまた、基地局１３０とＩＰデータパケットを交換するパケット制御機能（ＰＣＦ）モジュールも含む。各ＢＳＣ１２６は、例えば、今日商業用に利用されている通常の無線ネットワークに使用されるハードウェアなどを用いて実施できる。
【００１５】
音声コールおよび他の関連データの処理に用いるために、ネットワーク設備１２４は、携帯交換センター（ＭＳＣ−Ｍｏｂｉｌｅ  Ｓｗｉｔｃｈｉｎｇ  Ｃｅｎｔｅｒ）、携帯電話交換オフィス（ＭＴＳＯ−Ｍｏｂｉｌｅ  Ｔｅｌｅｐｈｏｎｅ  Ｓｗｉｔｃｈｉｎｇ  Ｏｆｆｉｃｅ）等の構成部品を含めることもできる。ＭＳＣ構成部品は、例えば、ＢＳＣ１２６と公衆交換電話網（ＰＳＴＮ）１２５との間で音声ストリーム情報を中継する。また、ＭＳＣは移動制御、コールプロセス、およびコールルーティング機能を提供するためのオペレーションも行う。
【００１６】
音声コールに無関係なデジタルデータの処理に用いるために、ネットワーク設備１２４は、１つ以上のホームエージェントやフォーリンエージェントなどの構成部品を含むこともできる。本文脈では、ネットワーク設備１２４は、無線あるいはワイヤ線Ｔ１またはＴ３リンク、光ファイバー接続、イーサネット（登録商標）、または他のインターネットプロトコル（ＩＰ）接続などの一つ以上のリンク１２３を介して、ＢＳＣ１２６と１つ以上のホームエージェント１２２との間でＩＰデータを交換する。一方、ホームエージェント１２２はインターネット１２１に接続される。
【００１７】
（無線通信装置）  
図１Ｂは、無線電話機１００の構造を描写した典型的なＷＣＤ１３４の構成を示す。電話機１００は、アンテナ１０６、トランシーバ１０４、スピーカ１０８、ユーザインタフェース１１０、マイクロフォン１１４、電源１１２、タイマー１１５、および記憶装置１１７を、アプリケーションによって異なる他の従来の回路とともに含む。命令実行プロセッサまたはデジタル論理回路（後述する）を備えるマネージャ１０２は、これら構成部品の間の信号ルーティングとともに他の構成部品のオペレーションを管理する。
【００１８】
電源１１２は、電気バッテリ、太陽熱電源、バイオロジカル電源、手動クランク、またはその他のポータブル電源装置で構成される。タイマー１１５は、ハードウェアタイマー、ソフトウェアータイマー、または他の適切なタイマーを含む。特に電力効率の優れたタイマー１１５の例の１つは、ハードウェア割り込み信号をマネージャ１０２に送る回路のようなハードウェアタイマーである。あるいは、ソフトウェア、ファームウェア、または他のタイマー構成物を利用しても良い。記憶装置１１７は、ハードウェア構成物（揮発性または非揮発性回路メモリ、磁気記憶装置等）またはソフトウェア構成物（レジスタ、バイト、アドレス、または他のストレージユニット等）で構成される。
【００１９】
携帯無線電話１００が例示されているが、ＷＣＤは携帯型または据付型でもよい。さらに、ＷＣＤは、例えば光ファイバーや同軸ケーブルなどの有線チャネルを経由して、又は無線チャネルを経由して通信する任意のデータ装置でも構成できる。無線電話およびワイヤ線電話機に加えて（または代替として）、ＷＣＤは、限定される訳ではないが、ＰＣカード、コンパクトフラッシュ（登録商標）、外部または内部モデム等を含む種々その他の装置を実現するように構成できる。
【００２０】
（典型的なデジタルデータ処理機器）  
図１Ａ乃至図１Ｂのデータ処理エンティティを実現するためにさまざまな構成が適用される。図２の装置２００によって例示されるデジタルデータ処理装置は、その例の１つである。
【００２１】
この装置２００は、マイクロプロセッサ、パーソナルコンピュータ、ワークステーション、コントローラ、マイクロコントローラ、状態機械、または他のプロセス機械などのプロセッサ２０２を含んでいる。これらは、記憶装置２０４に接続されている。この例では、記憶装置２０４は、非揮発性記憶装置２０８とともに高速アクセス記憶装置２０６を含む。高速アクセス記憶装置２０６は、ランダムアクセスメモリ（「ＲＡＭ」）を備え、プロセッサ２０２によって実行されるプログラミング命令を保存するためにも利用できる。非揮発性ストレージ２０８は、例えば、バッテリバックアップＲＡＭ、ＥＥＰＲＯＭ、フラッシュＰＲＯＭ、「ハードドライブ」などの１つ以上の磁気データ記憶ディスク、テープドライブ、またはその他の適切な記憶装置をも備えうる。また装置２００は、ライン、バス、ケーブル、電磁リンク、チャネル、インタフェース、またはプロセッサ２０２が装置２００の外部にある他のハードウェアとデータを交換するための他の手段などの入力／出力２１０を含む。
【００２２】
前記の具体的説明に関わらず、通常の技術を有する当業者（本開示の利点を有す）は、本発明の範囲から逸脱することなく、異なる構造の機械においても上記の装置が実現できることを理解するであろう。具体的な例として、構成部品２０６と２０８との一方を削除でき、さらに、記憶装置２０４、２０６、および／または２０８をプロセッサ２０２上に搭載したり、装置２００の外部に備えることもできる。
【００２３】
（論理回路）  
上記のデジタルデータ処理装置とは対照的に、本発明の他の実施例は、上記のようなさまざまな処理エンティティの一部または全部を実施するコンピュータ実行命令の代わりに論理回路を利用する。この論理回路は、速度、費用、ツールコスト等の領域におけるアプリケーションの特定要件に応じて、統合された数千個の極小トランジスタを有する特定用途向け集積回路（ＡＳＩＣ）を構成することによって実現される。このようなＡＳＩＣは、ＣＭＯＳ、ＴＴＬ、ＶＬＳＩ、または他の適切な構成で実施できる。他の代替は、デジタル信号処理チップ（ＤＳＰ）、離散回路（レジスタ、コンデンサ、ダイオード、インダクタ、およびトランジスタなど）、フィールド・プログラマブル・ゲート・アレイ（ＦＰＧＡ）、プログラマブル・ロジック・アレイ（ＰＬＡ）、プログラマブル・ロジック装置（ＰＬＤ）等を含む。
【００２４】
（オペレーション）  
さまざまな構成的な特徴の説明によって、本開示のオペレーション上の局面の幾つかをこれから説明する。
【００２５】
（信号搬送媒体）  
本開示のどの機能も、１つ以上の機械実行プログラムシーケンスを使って実現される場合、それらのシーケンスは、さまざまな形態の信号搬送媒体によって具体化される。図２に関して、このような信号搬送媒体は、例えば記憶装置２０４や、プロセッサ２０２によって直接または間接的にアクセス可能なリムーバブルデータ記憶装置製品３００（図３）のような他の信号搬送媒体を備えうる。命令は、記憶装置２０６、媒体３００、または他のどの場所に含まれていても、多様な機械可読データ記憶媒体に保存できる。幾つかの例として、直接アクセス記憶装置（例えば、通常の「ハードドライブ」、レイド（「ＲＡＩＤ」）、または他の直接アクセス記憶装置（「ＤＡＳＤ」））、磁気または光学テープなどのシリアルアクセス記憶装置、電子非揮発性メモリ（例えば、ＲＯＭ、ＥＰＲＯＭ、フラッシュＰＲＯＭ、またはＥＥＰＲＯＭ）、バッテリバックアップＲＡＭ、光学記憶装置（例えば、ＣＤ−ＲＯＭ、ＷＯＲＭ、ＤＶＤ、デジタル光学テープ）、ペーパー「パンチ」カード、そしてアナログまたはデジタル送信媒体とを含むその他適切な信号搬送媒体、及び、アナログと通信とのリンク、および無線通信を含む。本発明の例示的な実施例では、機械可読命令は、アッセンブリ言語、Ｃなどの言語からコンパイルされたソフトウェアオブジェクトコードで提供しうる。
【００２６】
（論理回路）  
上述した信号搬送媒体と対照的に、本開示の機能の幾つかまたは全ては、命令を実行するために、プロセッサを使う代わりに、論理回路を使って実施可能である。このような論理回路は、本開示における方法の幾つかまたは全ての局面を実行するオペレーションを実施するように構成される。この論理回路は、上述したように、多数の異なる種類の回路を使っても実施できる。
【００２７】
（オペレーション詳細の序文）  
上述したように、本開示のオペレーション上の局面は、ＷＣＤへのページングメッセージのネットワーク送信のための新技術を含む（図４）。異なるが相互に関連する技術は、結果的に、ＷＣＤがページングメッセージを受信するためのより電力効率の良いシーケンスに関する（図５）。
【００２８】
（用語−信号図の説明）  
図４乃至図５を良く理解するために、信号図６００をまず説明する（図６）。概して、また以下に詳細に説明するように、３ＧＰＰ規格ＷＣＤＭＡ（リリース９９）は、各基地局が、８０ミリ秒から５.１２秒持続する入念に計算された間隔の間にページングメッセージをさまざまなＷＣＤに送信することを要求している。本明細書では「ページング間隔」と呼ばれるこの間隔を、代表的な（「対象」）基地局に関し、６０２により説明する。本明細書で使用される「コールページング」は、着信音声（またはデータ）コールのページングに関するものであり、同時にＷＣＤが無線パケットデータネットワークに「接続」されている場合、長期間にわたるデータの無活動の後に行われる、近接したネットワーク開始データ活動を示すページングでもある。
【００２９】
ページングデータは、複数の「ラジオフレーム（Ｒａｄｉｏ  Ｆｒａｍｅ）」の形で送信される。デジタル通信フレームは、ＣＤＭＡや他の関連する専門分野において知られており、このようなフレームの例の多くは、ＱＵＡＬＣＯＭＭが得た数多くの米国特許に記載されている。本開示の一例において、各ラジオフレームは、十ミリ秒を占める。ページング間隔６０２は、ラジオフレーム６０４、６０５、およびその他６０７を含む（原寸に比例しない）。間隔６０２のその他６０７のラジオフレームは、簡潔な説明のために表示されていない。各ラジオフレームは、以下「パーティション」と呼ばれるセグメントにさらに分割される。例として、ラジオフレーム６０４のさまざまなパーティション６１０が示されている。
【００３０】
異なる各パーティション６１０は、主要基地局が、コールページングメッセージを、１つ以上の対応するＷＣＤの異なるグループに送信するために確保されている。ＷＣＤは、特定のパーティションに割り当てられている。符号６１６は、パーティション６５０およびそのＷＣＤに関連するコールページングメッセージを表示する。
【００３１】
一例として、コールページングメッセージはバイナリである。ここでは、一つのバイナリ値は、コールページングメッセージに割り当てられた１つ以上のＷＣＤがページされていることを示し、もう一方のバイナリ値は、どれもページされていないことを示す。バイナリゼロの代わりに、例えば、ヌルまたは信号の不在でも代用が可能である。ネットワークは、別個のオーバーヘッドメッセージまたはチャネルで、それぞれの着呼の詳細な情報を送信する。この情報は、ＷＣＤがその着呼をより良く知るために、また同一のパーティションに複数のＷＣＤが割り当てられた場合に、どのＷＣＤが受信しているかを解決するために利用可能である。
【００３２】
本開示によって紹介されるように、ページング間隔６０２は、別個の各ＷＣＤ用に最大１つのコールページングメッセージを含む。すなわち各ＷＣＤは、割り当てられたパーティション６１０のうちの１つにおいてのみ、そのコールページングメッセージを受信できる。しかしながら、各ＷＣＤのコールページングメッセージに対しては、反復ブロードキャストページングメッセージの複数のインスタンスがある。より詳細な例によって熟慮されるように、ブロードキャストページングメッセージの複数のインスタンスは、各ラジオフレーム内で発生することがある。
【００３３】
図示する例において、符号６１８は、ラジオフレーム６０４内で複数回発生する反復ブロードキャストページングメッセージを示すが、ラジオフレーム６０４では、各ＷＣＤのコールページングメッセージ（パーティション６５０のＷＣＤの６１６など）は、単一発生のみである。図示する例において、ブロードキャストページングメッセージ６１８は、パーティション６５１、６５２、および６５３内で発生する。図示するコール／ブロードキャストページングメッセージ間の関係は、各コールページングメッセージ（６１６など）と、最も近いブロードキャストページングメッセージ（６１８）との間の時間間隔が、所定の最大時間間隔を超えられないことを保証する。この新規な特徴は、以下に詳細に説明するようにＷＣＤの節電に役立つために使用される。
【００３４】
図示する例において、ブロードキャストページングメッセージ６１８は、ブロードキャストプログラムまたはサービスの一組に関するものである。オプションとして、別のブロードキャストプログラムの一組に関連して、別のブロードキャストページングメッセージ６１９が提供される。例えば、１つのブロードキャストページングメッセージはＣＮＮやＭＳＮＢＣの番組を表す一方、別のブロードキャストページングメッセージはＥＳＰＮのブロードキャストコンテンツを表す。ブロードキャストページングメッセージ６１９のインスタンスは、ラジオフレーム６０４のパーティション６５４、６５５、および６５６内で発生する。図示するように、ブロードキャストページングメッセージ６１８、６１９は、インタレースされる。ブロードキャストページングメッセージ６１８と同様に、図示されたコールページングメッセージ６１６とブロードキャストページングメッセージ６１９との関係は、コールページングメッセージと、最も近いブロードキャストページングメッセージとの間の時間が、所定の最大時間長さを超えないことを最低保証する。
【００３５】
（オペレーション。コール／ブロードキャストページングメッセージのネットワーク送信）  
図４は、本開示に関するネットワークオペレーション４００を描写する。限定する意図を持たず、オペレーション４００は単に、図１Ａ乃至１Ｂのハードウェアの特定の内容を例示する。図示するように、オペレーション４００は、独立的に各基地局１３０によって実行される。下記の説明は、１つの代表的な（「対象」）基地局によって実行されるオペレーション４００に関する。シーケンス４００におけるあるタスクは、本開示の範囲から逸脱することなく、実質的にはネットワーク１２０の段階的により優れた構成部品によって行われる。その結果、状態最新版または命令の形式で基地局に引き渡される。これによって、特定の動作を集中することができ、もって、全ての基地局において、同じステップを複製する必要性を回避する。
【００３６】
ステップ４０２において、対象基地局１３０は、関連する着信音声／データコールが発生しているかを判定する。この着呼は、（１）基地局と通信しているＷＣＤ、（２）基地局の受信可能領域内に存在するＷＣＤ、（３）「プライマリ」として割り当てられた対象基地局を持つＷＣＤ、（４）基地局と別の具体的な関係を持つＷＣＤに向けられている場合に関連する。ステップ４０２の一例は、基地局が、基地局に関連するＷＣＤへの着呼があるかどうかを判定するために、ネットワーク１２０の他の構成部品に問い合わせる「プル（ｐｕｌｌ）」を含む。別の例では、ステップ４０２は、関連するＷＣＤへの着呼があるたびに通知を受信する「プッシュ（ｐｕｓｈ）」である。ステップ４０２は、ステップ４０２ａで示されるように、継続的、定期的、または他の適切なスケジュールに従って繰り返される。従って、ステップ４０２は、それに続くステップ４０４およびその後のステップと平行して実行されうる。
【００３７】
ステップ４０４では、対象基地局１３０が「ブロードキャストイベント」が発生したかどうかを判定する。ブロードキャストイベントは、ＣＤに、特定のブロードキャストプログラムを通知するネットワーク指定指示を備える。例えば、ブロードキャストイベントは、ニュースストーリ、スポーツハイライト、またはミュージックビデオが到着したときのように、新たなコンテンツが利用可能になった場合に引き起こるブロードキャストイベントは、ネットワークが所定のブロードキャストコンテンツの第二回、第三回、または更なる繰り返し通知を命令した場合にも引き起こる。「プル」の例では、ステップ４０４は、ＷＣＤが、あらゆる具体的なブロードキャストプログラムが最初に通知される（又は、再通知される）べきかを判定するために、ネットワーク１２０内の基地局の他の構成要素アクティブクエリを備えている。「プッシュ」の例では、ステップ４０４は、ネットワークがブロードキャストイベントを発表、スケジュール、あるいは確立する基地局が通知メッセージを受信する受動的なオペレーションである。ステップ４０４は、ステップ４０４ａに示されるように、継続的、定期的、または他の適切なスケジュールに従って繰り返される。従って、ステップ４０４は、それに続くステップ４０６およびその後のステップと平行して実行される。
【００３８】
ステップ４０８は、新たなページング間隔を開始する。概して、また以下により詳細に説明するように、各基地局は、ページング間隔の間に、各自のＷＣＤにコールページングメッセージを送信する。３ＧＰＰ  ＷＣＤＭＡ（リリース９９）規格の下では、このページング間隔は、８０ミリ秒から５.１２秒間継続する。ＣＤＭＡ通信がラジオフレームの形式で発生するため、ページング間隔は、実際に多くのラジオフレームを占有する。１つの例では、各ラジオフレームは十ミリ秒間継続する。したがって、ステップ４０８はこのページング間隔の開始を示す。ネットワークを実現する手法に依存して、別のＷＣＤは、全く別のページング間隔を指定される事もあり得る。例えば、待機時間の短いネットワーク開始サービスへのアクセスを必要とするＷＣＤが、短いページング間隔を指定される一方、音声コールを受信するＷＣＤが、非常に長いページング間隔を指定される事もあり得る。
【００３９】
図６を用いて説明したように、各ラジオフレームは、本明細書で「パーティション」と称される複数のセグメントに分割される。１つの例として、例示的なシステムは、１つのラジオフレームにつき１４４個のパーティションを使うこともある。各パーティションは、ネットワーク、キャリア等によってあらかじめ設定された１つまたは複数のＷＣＤに適用可能な１つのコールページングメッセージを搬送する。従って各ＷＣＤは、もしあれば、各自のコールページングメッセージを受信するための特定のラジオフレームの特定のパーティションが割り当てられる。
【００４０】
上述したコールページングオペレーションに加えて、基地局は、反復ブロードキャストページングメッセージをページング間隔の間送信する。同じブロードキャストページングメッセージの複数のインスタンスは、割り当てられたラジオフレームに関係なく全てのＷＣＤによる受信を保証するために、ページング間隔の間中繰り返される。さらに、以下に説明するように、ブロードキャストページングメッセージは、所定のＷＣＤのコールページングメッセージが発生するパーティションと、先行または後続の最も近いブロードキャストページングメッセージとの間の時間を最小にするために、各ラジオフレーム内で複数回繰り返される。さらに、簡潔な説明のために、本実例は１つの反復ブロードキャストページングメッセージに限定しているが、上述したように、ブロードキャストコンテンツの別の組に関連する別のブロードキャストページングメッセージもあり得る。
【００４１】
ステップ４１４は、ブロードキャストページングメッセージの反復送信を開始する。以下に説明するように、基地局は、ブロードキャストページングメッセージの同じインスタンスを、ページング間隔の間中送信する。ブロードキャストページングメッセージとコールページングメッセージは、一例において、異なるチャネル化符号を使った同一の周波数帯域で送信される。例の１つに、ブロードキャストページングメッセージは、範囲内のＷＣＤにブロードキャスト内容が利用可能であるかどうかを示すためだけのビットまたは他の短縮された信号を構成し、追加情報が利用可能であるという表示は別に送信されるメッセージによって行われる。例えば、１からなるブロードキャストページングビットは、新たなブロードキャストコンテンツが利用可能であることを意味し、ゼロからなるブロードキャストページングビットは、新たなブロードキャストコンテンツが存在しない事を意味する。
【００４２】
１つの例として、ブロードキャストページングメッセージは、同じラジオフレーム内で発生する様々なコールページングメッセージと、ブロードキャストページングメッセージとの間の時間を最小にするために、１つのラジオフレームにつき、２回、３回またはそれ以上の回数でブロードキャストされる。すなわち、これによって、所定の任意のコールページングメッセージと、最も近いブロードキャストページングメッセージ（コールページングメッセージに先行または後続する）との間の時間の長さを、予め定めた最大値に限定できる。例えば、ブロードキャストページングメッセージが、１０ミリ秒の各ラジオフレームの間に２回ブロードキャストされる場合、任意の所定のコールページングメッセージと、最も近いブロードキャストページングページングメッセージとの間の時間が２.５ミリ秒を超えないことを保証する。ブロードキャストページングメッセージを１つのラジオフレームにつき、３回、４回、またはそれ以上の回数繰り返すことによって、この時間はさらに短縮できる。
【００４３】
更に、理論的には、ブロードキャストページングメッセージは、それぞれおよび全てのパーティションの期間送信され得るが、メッセージの間隔をあけることによって、間隔の間の期間に、他のブロードキャストページングメッセージ（他のブロードキャストの内容に関する）に、基地局のＷＣＤにページする同等の機会を与えることができる。２つの異なるブロードキャストページングメッセージがある簡易化された例では、このネットワークが、一方をラジオフレームパーティション５、１０、１５、２０等にブロードキャストする。もう一方は、ラジオフレームパーティション６、１１、１６、２１等でブロードキャストされる。
【００４４】
さらに理論的に基地局は、特定のブロードキャスコンテンツに興味を持つＷＣＤに割り当てられたパーティションだけに、ブロードキャストページングメッセージの送信を限定できる。しかしながら、ネットワークアーキテクチャ、設定、およびブロードキャスト加入者構成次第で、ネットワークは、個々のＷＣＤのブロードキャスト加入者に気づかないことがある。その上さらに、同一のパーティションを共有する２つのＷＣＤが、異なるブロードキャストパッケージに加入する場合、簡単には満足されない。
【００４５】
いずれにしても、ブロードキャストページングメッセージと、コールページングメッセージとの間の時間的な近接を確保することは、コールページングメッセージとブロードキャストページングメッセージとが共にネガティブである場合に、スリープを迅速に再開することによって、ＷＣＤの電力節約に役立つ。
【００４６】
ステップ４１４の後、ステップ４１６は、現在の間隔の第一のラジオフレームに応対する。ここで、基地局は、そのラジオフレームに割り当てられた全てのＷＣＤのためにコールページングメッセージを送信する（ステップ４１８）。それぞれのコールページングメッセージは、対象ラジオフレームにおける異なるパーティション内で発生する。図示する例において、コールページングメッセージは、個別に送信されたメッセージにおいて利用可能な追加情報を用いて、ブロードキャストコンテンツがそれらのために利用可能であることを、範囲内のＷＣＤに対して単に示す短縮された信号かビットを備えている。例えば、１からなるコールページングビットは、現在のラジオフレームに割り当てられた幾つかまたは全てのＷＣＤに着呼が発生していることを意味する。一方、ゼロからなるコールページングビットは、このフレームに割り当てられたＷＣＤに着呼が発生していないことを意味する。
【００４７】
次に、ステップ４２０は、基地局が現在のページング間隔に対し、全てのラジオフレームが終了したかを尋ねる。していなければ、ステップ４２２は、次のラジオフレームへと進み、基地局は、このラジオフレームに割り当てられたＷＣＤにコールページングメッセージを送信する（ステップ４１８）。
【００４８】
全てのラジオフレームが終了すると（ステップ４２０）、基地局は、現在の間隔へのコールページングメッセージ送信を終える。従って、基地局は、ブロードキャストページングメッセージの送信も中止し（ステップ４２４）、また現在の間隔も終了する。後にステップ４２４がステップ４０８に戻ると、所定のスケジュールで発生する新たな間隔が開始される。ブロードキャストページングメッセージの信頼性の向上のために、基地局は、オプションとして、複数のラジオフレームにだけでなく、複数のページング間隔にわたってブロードキャストページングメッセージを再送信できる。
【００４９】
（オペレーション。無線通信デバイス）  
図５は、コールページングメッセージとブロードキャストページングメッセージとの受信に関するＷＣＤのオペレーション５００を描写する。限定する意図無く、オペレーション５００は単に、図１Ａ、図１Ｂ、および図４のハードウェアの具体的内容を例示している。図示するように、オペレーション５００は、各ＷＣＤによって独立して実行される。下記の説明は、１つの代表的な（「対象」）ＷＣＤによって実行されるオペレーション５００に関する。
【００５０】
ステップ５０２において、ＷＣＤは、スリープからウェイクアップする。これは、タイマー１１５によってトリガされ、（後述するように）ステップ５２０にしたがってスケジュールされるように、規則的にスケジュールされたハードウェア割り込みに応答して、マネージャ１０２を、省電力状態にする。すなわち、タイマー１１５は、指定されたラジオフレームとパーティションのコールページングメッセージをＷＣＤが受信できるように、十分な時間の余裕を持ってウェイクアップを開始する。ステップ５０４でＷＣＤは、コールページングメッセージを受信するために、別のＲＦ、アナログ、およびデジタルサブシステムの準備を含むさまざまなウェイクアップオーバーヘッドタスクを実行する。例えば、起動、プログラムのメモリへのローディング、ハードウェア設定等の他のウェイクアップオーバーヘッドタスクも実施される。スリープ状態の入／出に関する詳細は、発行され、ＱＵＡＬＣＯＭＭに譲渡された係属中の様々な特許出願内で説明されている。
【００５１】
ステップ５０６でマネージャ１０２は、次のコールページングメッセージまたはブロードキャストページングメッセージを待つ。ＷＣＤがスリープから現れる正確な時間（後述するようにして具体的に計画される）に依存して、受信される第一のページングメッセージは、コールページングメッセージ、または反復ブロードキャストページングメッセージの１つかもしれない。どちらの場合にしても、マネージャ１０２は、ステップ５０８において、このメッセージを受信する。別のブロードキャストサービスのために別のブロードキャストページングメッセージがある例では、ブロードキャストページングメッセージのステップ５０６の受信は、ＷＣＤの特定の加入者パッケージに関連するブロードキャストページングメッセージを受信することを含む。
【００５２】
ステップ５０９では、マネージャ１０２は、ネットワークから、１つ以上の規定信号の信号「数値指標（ｍｅｔｒｉｃｓ）」を評価する。これは、シーケンス５０６乃至シーケンス５１０の間に、ブロードキャストページングメッセージを何回聞くかを決定するために使われる。例えば、ブロードキャストページングメッセージが１回受信されたが、信号の強度／品質が悪い場合、ステップ５０９は、前記メッセージの別のインスタンスを受信するように決定できる。
【００５３】
ステップ５０９の一例では、信号数値指標の測定は、トランシーバ１０４と通信し、ＷＣＤが通信するＲＦ帯域に到来する生の電力を測定するマネージャ１０２を含む。別の例として、ステップ５０９は、ＷＣＤと通信する１つ以上の基地局によってブロードキャストされる共通パイロット信号の生の電力を測定するマネージャ１０２によって実行される。さらに別の例として、マネージャ１０２は、共通パイロット信号の信号対雑音比を演算する。さらに別の例では、マネージャ１０２は、ページングメッセージ自体の信号対雑音比を演算する。共通パイロット信号をサンプル信号として利用するステップ５０９の信号数値指標では、このステップは、ステップ５０６の前など別の時間で実行される。信号数値指標の「悪い」または「良い」のラベリングは、信号数値指標を予め定めたしきい値と比較すること、移動平均を用いること、対象ＷＣＤに特定の履歴データを検討すること、またはその他任意の役に立つ技法を含む。
【００５４】
ステップ５１０では、マネージャが、別のページングメッセージを受信するために待つべきかどうかを決定する。これは、上記記載のステップ５０９の結果と共に、ステップ５０６が実施された回数によって決定される。オプションとして、前回のウェイクアップ状態（ステップ５１８によって実行された）からの信号数値指標は、ステップ５０９の信号数値指標に追加して、あるいはその代わりとして考えられる。ステップ５１０の一例として、現在のウェイクアップ状態におけるステップ５０６の第一回目の実行が、コールページングメッセージを取得した場合、ステップ５１０は、ブロードキャストページングメッセージを繰り返し取得するようにステップ５０６に要求する。また、コールページング信号とブロードキャストページング信号とが両方受信されたとしても、ステップ５１０では、マネージャ１０２が、（例えば、ステップ５０９の間に測定されたように）信号受信条件の悪い場合に、ブロードキャストページングメッセージの１つ以上の別のインスタンスを受信するように決定できる。
【００５５】
別の例では、前回のウェイクアップ状態の間、信号受信条件が悪かったのであれば、マネージャ１０２は（後述する５２０のように）、１つのブロードキャストページングメッセージ、コールページングメッセージ、更には別のブロードキャストページングメッセージを監視するのに十分早くウェイクアップをスケジュールしうる。第一のブロードキャストページングメッセージの受信後（ステップ５０６）、マネージャ１０２が、単一のブロードキャストページングメッセージの受信が十分な点まで信号受信条件が向上したと判定すると（ステップ５０９）、ステップ５１０は、ブロードキャストページングメッセージの第二のインスタンスを監視するためにコールページングメッセージを受信した後、アウェイクにマネージャ１０２が留まる必要がないと結論する。
【００５６】
マネージャが、更なるページングメッセージを取得する必要がない時は、ステップ５１０はステップ５１２へと進む。ステップ５１２では、マネージャ１０２は、（１）ステップ５０６が、対象ＷＣＤに適用可能なコールページおよび／またはブロードキャストページを示した場合は、ステップ５１４に進み、（２）ステップ５０６が、このＷＣＤのためにどのページも示さなかった場合は、ステップ５１８に進むかの何れかに分岐する。
【００５７】
ステップ５１４の場合、マネージャ１０２はアウェイクに留まり続け、最近のページに対する処理または応答への要求に応じて、その他様々なタスク５１６を実行する。例を挙げれば、コールページングの場合、マネージャ１０２は、着呼に関する追加情報を入手し、この呼出に応答する等を行う。ブロードキャストページングの場合、マネージャ１０２は、ネットワーク機器にコンタクトし（または、ネットワークによって独立して送信された他のメッセージの内容を検討し）、発表されたブロードキャストコンテンツの記述を取得し、そのコンテンツ自身を（初期設定または前もって指定されたユーザー入力に従って）自動的に、または（ユーザキーパッド命令または音声命令によって）マニュアルでダウンロードする。
【００５８】
これまでの説明と対象的に、ＷＣＤがステップ５０６においてコールページおよび／またはブロードキャストページを受信しなかった場合、マネージャ１０２は、スリープの再開を準備する。ステップ５１８では、マネージャ１０２は、次のコールページングメッセージが発生する前に、（ステップ５０６で）ブロードキャストページングメッセージを何回聞くかを決定するために、信号数値指標を評価する。ステップ５１８における信号数値指標の測定は、上記記載のステップ５０９の内容とは異なる方法でも実行できる。ステップ５１８の後、マネージャ１０２は次のウェイクアップ状態を計画する（ステップ５２０）。例を挙げると、マネージャ１０２は、適切なウェイクアップ時間においてマネージャ１０２を起動するために、タイマー１１５をプログラム、セット、あるいは設定する。これは、（１）信号数値指標、（２）適切なオーバヘッドチャネル上のネットワークによってブロードキャストされ、ＷＣＤが起動された場合にネットワーク又はキャリアによって固定され、さもなければ周知の処理に従って確立されるＷＣＤが割り当てられたコールページング時間（例、パーティション）、（３）同様な手段を介して利用可能になるブロードキャストページングメッセージのスケジュールを含む情報を利用する。
【００５９】
一例として、良好な信号数値指標の条件では（ステップ５１８で測定されたように）、マネージャ１０２は、コールページングメッセージと、（時間的に）最も近い先行または後続のブロードキャストページングメッセージとの受信を可能にする最後の一瞬に、ＷＣＤがステップ５０４を完了できるようにウェイクアップをスケジュールできる。これは、ＷＣＤの内臓式プログラム、ネットワークからのオーバーヘッド送信の受信、または、現在のキャリアを用いた起動中に引き起こるＷＣＤのプログラミング等のうちの何れかを通して、ＷＣＤがブロードキャストページングメッセージの送信スケジュールを認識している場合に可能である。
【００６０】
信号数値指標の悪い状態では、（ステップ５１８で測定されたように）、コールページング信号の前に、ブロードキャストページングメッセージを受信するようにＷＣＤが必然的にステップ５０４を完成できるように、マネージャ１０２は、ステップ５０２／５０６をスケジュールすることができる。この後は、もちろん、コールページングメッセージ自体と、その後の、次のブロードキャストページングメッセージとの受信が続く。この方法によって、ＷＣＤは、２つのブロードキャストページングメッセージと、単一のコールページングメッセージとを最小時間で取得する。信号数値指標が極端に悪い場合には、マネージャ１０２は、次のコールページングメッセージの前に、前のコールページングメッセージパーティションと、後のコールページングメッセージパーティションとの最も効率的な組み合わせを用いて、ブロードキャストページメッセージを２回、３回、またはそれ以上の回数集めるように選択できる。
【００６１】
信号数値指標ラベリングの「悪い」または「良い」は、移動平均、対象ＷＣＤに特有な履歴データの検討、またはその他の任意の有用な技術を使って、予め定めたしきい値と信号数値指標とを比較することを含む。
【００６２】
ここまでの計画は、マネージャ１０２が、適切な時間にウェイクアップするようにタイマー１１５をプログラムすること、および／またはストレージ１１７に機械可読命令を書き込むことによって実施される。これらの命令は、その後の検索、およびステップ５０６の次の実行中にマネージャ１０２によって使用されるソフトウェア、アドレス設定、フラグ、またはその他の適切な印を含む。
【００６３】
ステップ５２０の後、マネージャ１０２は、あてはまるのであればＷＣＤ自身も含めたＷＣＤの適切な構成要素に対して、省電力スリープ状態に入るよう命令する（ステップ５２２）。
【００６４】
（他の実施例）  
当技術分野における熟練者であれば、情報および信号が、他の多様な技術や手法の何れを用いても表されると理解する。例えば、上記の説明をとおして参照された、データ、命令、コマンド、情報、信号、ビット、シンボル、およびチップは、電圧、電流、電磁波、磁場または粒子、光場または粒子、またはこれらの任意の組み合わせによっても表される。
【００６５】
当該熟練者は、ここに開示された実施例に関して説明された、さまざまな実例的な論理ブロック、モジュール、回路、およびアルゴリズムステップが、電子ハードウェア、コンピュータソフトウェア、またはその両方の組み合わせとして実施できることをさらに理解する。ハードウェアとソフトウェアの互換性を明確に表現するために、さまざまな例示的な構成部品、ブロック、モジュール、回路、およびステップは、これらの機能に関して一般に記載された。このような機能性がハードウェアまたはソフトウェアとして実施されるかどうかは、システム全体に課される特定のアプリケーションや設計制約に依存する。当該熟練者は、各特定のアプリケーション用に異なる方法で、説明された機能性を実施することができるが、この実施決定は、本発明の範囲からの逸脱をもたらすものとして解釈されるべきではない。
【００６６】
ここに開示された実施例に関して説明された、さまざまな実例的な論理ブロック、モジュール、回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラム可能論理デバイス、離散ゲートまたはトランジスタ論理、離散ハードウェア構成部品、またはここに記載された機能を実行するよう設計されたこれらの組み合わせなどで、実施または実行できる。汎用プロセッサは、マイクロプロセッサでも良いが、代案として、このプロセッサは、通常のプロセッサ、コントローラ、マイクロコントローラ、または状態機械でも良い。プロセッサは、例えばＤＳＰとマイクロプロセッサの組み合わせのような計算装置の組み合わせ、複数のマイクロプロセッサ、ＤＳＰコアと連結した１つ以上のマイクロプロセッサ、またはその他任意のこれら構成としても実現されうる。
【００６７】
ここに開示された実施例に関して説明された方法またはアルゴリズムのステップは、ハードウェアで直接的に、プロセッサによって実行されるソフトウェアモジュール、またはその両方の組み合わせによって具体化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当該技術で周知のその他任意の形式の記憶媒体内に存在することができる。典型的な記憶媒体は、プロセッサと結合され、このようなプロセッサは、この記憶媒体との情報の読み書きが可能である。あるいは、記憶媒体は、プロセッサと統合されうる。プロセッサと記憶媒体は、ＡＳＩＣ内に存在できる。
【００６８】
さらに、開示した実施例についての前述した記載は、当該技術における何れの熟練者であっても、本発明を実現し、または利用できるように提供されている。当技術分野における熟練者にとって、これらの実施例に対するさまざまな変形は明らかであり、ここで定義された一般的原理は、本発明の精神または範囲から逸脱することなく、他の実施例にも応用できる。従って、本発明は、ここに示される実施例によって限定されることを意図したものではなく、ここに開示された原理と新規の特徴に一致する最も広い範囲を与えるものである。
【００６９】
ここで使われる用語「典型的」は、「例、事例、例示としての役割」を意味するために使用されている。ここで「典型的」として説明される実施例は、他の実施例に対して好適であるとか、有利であるとか必ずしも解釈される必要はない。
【図面の簡単な説明】
【００７０】
【図１Ａ】図１Ａは、無線通信ネットワークのハードウェア機器のブロック図である。
【図１Ｂ】図１Ｂは、無線通信デバイスのハードウェア構成部品および相互接続のブロック図である。
【図２】図２は、典型的なデジタルデータ処理機器のブロック図である。
【図３】図３は、典型的な信号搬送媒体の平面図である。
【図４】図４は、コールページングメッセージおよびブロードキャストページングメッセージを送信するネットワークシーケンスを示すフローチャートである。
【図５】図５は、コールページングメッセージおよびブロードキャストページングメッセージを受信する無線通信装置の電力最適化シーケンスを示すフローチャートである。
【図６】図６は、典型的なページングメッセージを示す信号図である。
【図１Ａ】
2007518371.tif 000003
【図１Ｂ】
2007518371.tif 000004
【図２】
2007518371.tif 000005
【図３】
2007518371.tif 000006
【図４】
2007518371.tif 000007
【図５】
2007518371.tif 000008
【図６】
2007518371.tif 000009
【国際調査報告】
2007518371.tif 000010
2007518371.tif 000011
2007518371.tif 000012
2007518371.tif 000013
2007518371.tif 000014